(57)【要約】【課題】  手間がかからず簡単に所望の文字を画像とともにプリント材料に形成できる、写真処理装置を提供する。【解決手段】  写真処理装置１０は、印画紙４２に形成すべき画像５８に対応する画像データを記憶する記憶装置３４を含む。入力部３６によって、記憶装置３４に記憶された画像データに対応する画像５８の中から文字を付加すべき画像５８を選択し、選択した画像５８に関して文字を入力する。選択された画像５８に隣接して設けられる余白部６０に対応する余白部データが生成される。選択された画像５８に隣接して余白部６０が設けられ当該余白部６０上に文字が形成された合成画像が得られるように、当該画像５８に対応する画像データと当該余白部６０に対応する余白部データと当該文字に対応する文字データとを合成して合成画像データを生成し、合成画像データに基づく合成画像を印画紙４２に形成する。【選択図】      図１
2005300851.tif 000002
【特許請求の範囲】
【請求項１】
プリント材料に形成すべき画像に対応する画像データを記憶する記憶部、
前記記憶部に記憶された画像データに対応する画像の中から文字を付加すべき画像を選択しかつ前記文字を入力するための入力手段、
前記入力手段によって選択された画像に隣接して設けられる余白部に対応する余白部データを生成する生成手段、
前記入力手段によって選択された前記画像に隣接して前記余白部が設けられ当該余白部上に前記入力手段によって入力された前記文字が形成された合成画像が得られるように、当該画像に対応する画像データと当該余白部に対応する余白部データと当該文字に対応する文字データとを合成して合成画像データを得る合成手段、および
前記合成画像を前記プリント材料に形成する形成手段を備える、写真処理装置。
【請求項２】
プリント材料に形成すべき画像に対応する画像データを記憶する第１記憶部、
付加すべき文字に対応する文字データを記憶する第２記憶部、
前記第１記憶部に記憶された画像データに対応する画像の中から文字を付加すべき画像を選択しかつ前記第２記憶部に記憶された文字データに対応する文字の中から付加したい文字を選択するための入力手段、
前記入力手段によって選択された画像に隣接して設けられる余白部に対応する余白部データを生成する生成手段、
前記入力手段によって選択された前記画像に隣接して前記余白部が設けられ当該余白部上に前記入力手段によって選択された前記文字が形成された合成画像が得られるように、当該画像に対応する画像データと当該余白部に対応する余白部データと当該文字に対応する文字データとを合成して合成画像データを得る合成手段、および
前記合成画像を前記プリント材料に形成する形成手段を備える、写真処理装置。
【請求項３】
前記入力手段によって前記余白部のサイズを入力可能であり、
前記余白部上に形成すべき文字の数と前記入力手段によって入力された前記余白部のサイズとに基づいて前記形成すべき文字のサイズが決定されることを特徴とする、請求項１または２に記載の写真処理装置。
【請求項４】
前記入力手段によって前記余白部上に形成すべき文字のサイズを入力可能であり、
前記余白部上に形成すべき文字の数と前記入力手段によって入力された文字のサイズとに基づいて前記余白部のサイズが決定されることを特徴とする、請求項１または２に記載の写真処理装置。
【発明の詳細な説明】
【技術分野】
【０００１】
この発明は写真処理装置に関し、より特定的には、画像を印画紙等のプリント材料に形成する写真処理装置に関する。
【背景技術】
【０００２】
近年、写真画像にメッセージやコメント等の文字が付加されたプリントを作製したいという要望が増えつつある。したがって、ラボ店（写真店）において、そのようなサービスを行うことによってプリントの商品価値を高め、顧客の要望に応えることができる。
【０００３】
画像に文字が付加されたプリントを得る方法としては、写真フィルム自体に加工を施したり、画像をデジタルデータとしたのち専用の画像加工ソフトによってレタッチを行うことなどが挙げられる。
【発明の開示】
【発明が解決しようとする課題】
【０００４】
しかし、前者の方法は、ラボ店において簡単に行えるものではなく手間がかかってしまう。
後者の方法は、専用の画像処理ソフトを起動させて文字入力しデータ編集しなければならず、この場合も手間がかかってしまう。
【０００５】
また、ＡＰＳフィルムを処理する場合には、フロントプリントによって印画紙の画像形成面に文字をも形成することができるが、形成すべき文字は予め磁気情報としてＡＰＳフィルムに記録しておかなければならず、文字数にも制限があるため、自由度のある文字入力ができない。
【０００６】
それゆえに、この発明の主たる目的は、手間がかからず簡単に所望の文字を画像とともにプリント材料に形成できる、写真処理装置を提供することである。
【課題を解決するための手段】
【０００７】
上述の目的を達成するために、請求項１に記載の写真処理装置は、プリント材料に形成すべき画像に対応する画像データを記憶する記憶部、記憶部に記憶された画像データに対応する画像の中から文字を付加すべき画像を選択しかつ文字を入力するための入力手段、入力手段によって選択された画像に隣接して設けられる余白部に対応する余白部データを生成する生成手段、入力手段によって選択された画像に隣接して余白部が設けられ当該余白部上に入力手段によって入力された文字が形成された合成画像が得られるように、当該画像に対応する画像データと当該余白部に対応する余白部データと当該文字に対応する文字データとを合成して合成画像データを得る合成手段、および合成画像をプリント材料に形成する形成手段を備える。
【０００８】
請求項２に記載の写真処理装置は、プリント材料に形成すべき画像に対応する画像データを記憶する第１記憶部、付加すべき文字に対応する文字データを記憶する第２記憶部、第１記憶部に記憶された画像データに対応する画像の中から文字を付加すべき画像を選択しかつ第２記憶部に記憶された文字データに対応する文字の中から付加したい文字を選択するための入力手段、入力手段によって選択された画像に隣接して設けられる余白部に対応する余白部データを生成する生成手段、入力手段によって選択された画像に隣接して余白部が設けられ当該余白部上に入力手段によって選択された文字が形成された合成画像が得られるように、当該画像に対応する画像データと当該余白部に対応する余白部データと当該文字に対応する文字データとを合成して合成画像データを得る合成手段、および合成画像をプリント材料に形成する形成手段を備える。
【０００９】
請求項３に記載の写真処理装置は、請求項１または２に記載の写真処理装置において、入力手段によって余白部のサイズを入力可能であり、余白部上に形成すべき文字の数と入力手段によって入力された余白部のサイズとに基づいて形成すべき文字のサイズが決定されることを特徴とする。
【００１０】
請求項４に記載の写真処理装置は、請求項１または２に記載の写真処理装置において、入力手段によって余白部上に形成すべき文字のサイズを入力可能であり、余白部上に形成すべき文字の数と入力手段によって入力された文字のサイズとに基づいて余白部のサイズが決定されることを特徴とする。
【００１１】
この明細書において「文字」には記号も含まれる。
【００１２】
請求項１に記載の写真処理装置では、たとえばオペレータが顧客から画像に付加したいメッセージやコメント等の文字を書面で受け取っている場合、プリント処理時において、オペレータはその書面内容に従って、入力手段によって記憶部に記憶された画像データに対応する画像の中から所望の画像を選択し文字を入力する。すると、選択された画像に隣接して設けられる余白部に対応する余白部データが生成され、選択された画像に対応する画像データと生成された余白部データと入力された文字に対応する文字データとが合成されて合成画像データが生成され、その合成画像データに基づく合成画像、すなわち画像とそれに隣接する余白部と当該余白部上の文字とからなる合成画像がプリント材料に形成される。このようにして、プリント処理時において、テンプレートを用いることなくオペレータが顧客の望む画像に関して文字を打ち込むだけで、手間がかからず簡単に所望の文字を画像とともにプリント材料のフロント部分に形成することができ、しかも当該文字を画像に隣接する余白部上に形成できる。
【００１３】
請求項２に記載の写真処理装置では、顧客が画像に付加したいメッセージやコメント等の文字が文字データとして第２記憶部に記憶されている場合、プリント処理時において、オペレータは入力手段によって、第１記憶部に記憶された画像データに対応する画像の中から所望の画像を選択し、第２記憶部に記憶された文字データに対応する文字の中から顧客が付加したい文字を選択する。すると、選択された画像に隣接して設けられる余白部に対応する余白部データが生成され、選択された画像に対応する画像データと生成された余白部データと選択された文字に対応する文字データとが合成されて合成画像データが生成され、その合成画像データに基づく合成画像、すなわち画像とそれに隣接する余白部と当該余白部上の文字とからなる合成画像がプリント材料に形成される。このようにして、プリント処理時において、テンプレートを用いることなくオペレータが所望の画像および文字を選択するだけで、手間がかからず簡単に所望の文字を画像とともにプリント材料のフロント部分に形成することができ、しかも当該文字を画像に隣接する余白部上に形成できる。
【００１４】
請求項３に記載の写真処理装置では、余白部のサイズを入力することによって、形成すべき文字の数と余白部のサイズとに基づいて形成すべき文字のサイズが決定される。このように余白部のサイズを任意に設定でき、その余白部に全ての文字が入るように文字サイズが自動的に調整される。
【００１５】
請求項４に記載の写真処理装置では、付加すべき文字のサイズを入力することによって、付加すべき文字の数と入力された文字サイズとに基づいて余白部のサイズが決定される。この場合には、文字サイズを任意に設定でき、それに応じて余白部のサイズが自動的に調整される。
【発明の効果】
【００１６】
この発明によれば、プリント処理時において、手間がかからず簡単に所望の文字を画像とともにプリント材料に形成することができる。
【発明を実施するための最良の形態】
【００１７】
以下、図面を参照して、この発明の実施の形態について説明する。
図１を参照して、この発明の一実施形態のプリント装置１０は、スキャナ部Ｐ１およびプリント部Ｐ２を備える。
【００１８】
スキャナ部Ｐ１は、ネガフィルム１２に向けて光を発する光源１４を含む。ネガフィルム１２は、搬送用ローラ１６によって搬送され、ネガマスク１８によってネガフィルム１２のコマ画像が位置決めされる。搬送用ローラ１６およびネガマスク１８は搬送ユニットであるネガキャリア２０内に一体的に組み込まれる。また、ネガキャリア２０内にはさらに、ネガフィルム１２のＤＸコードおよびコマ番号をあらわすバーコードを読み取るためのバーコードセンサ２２が設けられる。
【００１９】
光源１４とネガフィルム１２との間には、光源１４から発せられた光をネガフィルム１２に導くためのミラートンネル２４が配置される。光源１４から発せられネガフィルム１２を透過した光の光路上に、ラインセンサ等である画像センサ２６が配置される。また、ネガフィルム１２と画像センサ２６との間には、ネガフィルム１２を透過した光を画像センサ２６に結像させるためのレンズ２８が配置される。
【００２０】
画像センサ２６に結像された光は、デジタルデータである画像データとして出力され、スキャナ部Ｐ１およびプリント部Ｐ２を統括的に制御するコントローラ３０に入力される。また、コントローラ３０には、バーコードセンサ２２で読み取られたバーコードの情報（バーコードデータ）も入力される。
【００２１】
また、データ読み取り装置３１によって、記録媒体に保存された画像データ、画像番号データおよび文字データ等が読み取られコントローラ３０に入力される。記録媒体としては、たとえばデジタルカメラ用のスマートメディア、メモリスティックやＣＤ−Ｒ、ＭＯ等が用いられる。文字データは、画像に付加すべきメッセージやコメント等の文字に対応するデータを含む。
【００２２】
コントローラ３０は、ＣＰＵバス（図示せず）で相互に接続されたＣＰＵ３０ａ、ＲＯＭ３０ｂおよびＲＡＭ３０ｃを含む。また、コントローラ３０には、モニタ等の表示部３２、ハードディスクドライブ（ＨＤＤ：ハードディスクを含む）等の記憶装置３４、オペレータによる種々の指令や入力を行うキーボードやマウス等の入力部３６、および記録媒体であるＣＤ−Ｒ３８に画像データ等を記録するＣＤ−Ｒ書き込み装置４０が接続される。表示部３２には、プリント装置１０の操作を容易にするＧＵＩ（Graphical User Interface）や印画紙４２に形成すべき画像や文字などが表示される。
【００２３】
ＣＰＵ３０ａは、ＲＯＭ３０ｂや記憶装置３４に記憶された各種のプログラムを実行し、データを処理し、プリント装置１０内の各構成要素に指示を与え、プリント装置１０の動作を制御する。この実施形態では、ＣＰＵ３０ａは、余白部データを生成する生成手段、合成画像データを得る合成手段としても機能する。
【００２４】
ＲＯＭ３０ｂは、起動用プログラム等を記憶している。起動用プログラムは、プリント装置１０の電源投入時にＣＰＵ３０ａによって実行される。これによって、記憶装置３４に記録されているオペレーティングシステム（ＯＳ）、プリント処理プログラム等のプログラムがＲＡＭ３０ｃにロードされ、各種の処理や制御が実行可能となる。
【００２５】
ＲＡＭ３０ｃには、プリント装置１０を制御するプログラム等が展開され、プログラムによる処理結果、処理のためのデータ等を保持し、ＣＰＵ３０ａの作業領域として使用される。
【００２６】
ＣＰＵ３０ａの指示に従って、記憶装置３４に対してプログラム、画像データ、文字データ等が記録されあるいは読み出される。この実施形態では、記憶装置３４内に、プリント装置１０の動作のためのプログラムやプリント処理プログラム等が格納される。また、記憶装置３４には、スキャナ部Ｐ１よりコントローラ３０に入力された画像データおよびバーコードデータが記録される。このとき画像データは、コマごとに切り出され、それぞれにオーダー情報およびバーコードデータから得た対応するコマ番号に基づくファイル名が付けられている。なお、データ読み取り装置３１によってコントローラ３０に入力された画像データ、画像番号データおよび文字データも記憶装置３４に記録される。このとき画像データは、コマごとに切り出され、それぞれにオーダー情報および画像番号データに対応する画像番号に基づくファイル名が付けられている。文字データにはオーダー情報が付けられている。オーダー情報とは、ラボ店が顧客を識別するためのオーダー番号等の情報である。この実施形態では、記憶装置３４内に、画像データを記憶する第１記憶部、文字データを記憶する第２記憶部が構成される。
【００２７】
ＣＤ−Ｒ書き込み装置４０は、記憶装置３４に記憶される画像データを所定のファイル形式でＣＤ−Ｒ３８に書き込むために用いられる。ファイル形式としては、ＪＰＥＧ、ＧＩＦ、ビットマップ等が挙げられるが、特定のファイル形式に限定されるものではない。
【００２８】
プリント部Ｐ２は、プリント材料である長尺の印画紙４２が収納されるペーパーマガジン４４を含む。ペーパーマガジン４４に収納される印画紙４２は所定の経路に沿って引き出され、図示しないカッタによって適宜のサイズにカットされ、カット済みの印画紙４２が搬送用ローラ４６によって搬送される。搬送用ローラ４６は駆動モータ４８によって回転駆動され、駆動モータ４８はコントローラ３０によって制御される。
【００２９】
また、カット済みの印画紙４２の搬送経路上には、デジタル露光ヘッド５０が配置される。デジタル露光ヘッド５０は、コントローラ３０から入力される画像データに基づく画像を印画紙４２の表面に露光し、画像（潜像）を形成する。デジタル露光ヘッド５０には、たとえば蛍光プリンタ、ＰＬＺＴ式プリンタまたはＣＲＴプリンタ等のヘッドが用いられる。
【００３０】
このように表面に露光された印画紙４２は、現像処理部５２で現像処理され、乾燥部５４で乾燥され、排出される。
【００３１】
プリント装置１０において注目すべきは、印画紙４２に画像とともに文字を付加できることである。
当該文字を付加する作業は、図２に示すような表示部３２に表示される画面５６において行われる。画面５６内には複数（この実施形態では４つ）の画像５８が表示され、さらに必要に応じて文字入力可能となる余白部６０が、画像５８の下側に隣接して設けられる。
【００３２】
画面５６内の下側には、付加すべき文字のサイズを設定するための文字サイズボタン６２、文字入力の指令のための文字入力ボタン６４、文字選択の指令のための文字選択ボタン６６、余白部サイズを設定するためのを余白部ボタン６８、表示画像を切り替えるための画像切り替えボタン７０、内容を確定するためのＯＫボタン７２、内容をキャンセルするためのキャンセルボタン７４、および露光を開始するためのスタートボタン７６が設けられる。
【００３３】
図３にプリント７８の一例を示す。プリント７８のフロント部分には、画像５８と余白部６０とが形成され、余白部６０上には「ハイチーズ（＊＾ｏ＾＊）」という文字が形成されている。
【００３４】
プリント７８のフロント部分には、規定のプリントサイズの画像５８に加えて余白部６０が形成されており、印画紙４２のサイズは、画像５８および余白部６０を露光できるように選定される必要がある。余白部６０は、上述の印画紙カット時に、決定された余白部サイズ（後述）に応じて送り長さを付加して印画紙４２をカットすることにより設けられる。
【００３５】
ついで、図４を参照して、プリント装置１０の動作について説明する。
まず、入力部３６からプリント処理の実行を指示すると、記憶装置３４からプリント処理プログラムおよび画像データが読み出されてＲＡＭ３０ｃに展開され（ステップＳ１）、表示部３２に図２に示すような画面５６が表示される（ステップＳ３）。画面５６内には読み出された複数の画像データにそれぞれ対応する画像５８が表示されている。
【００３６】
ついで、画面５６において画像５８に文字を付加するために文字入力されるか否かが判断される（ステップＳ５）。
【００３７】
オペレータが文字入力ボタン６４を押すと、文字入力されると判断され文字入力モードに入る（ステップＳ７）。たとえば顧客が望むメッセージやコメント等の文字をオペレータが図５に示すような書面８０で受け取ったときが該当する。この場合、文字入力ボタン６４を押すことによって画面５６上の各余白部６０は文字入力可能状態となり、たとえば文字を付加したい余白部６０内に入力部３６を用いてカーソルやポインタを位置させることによって文字を付加したい画像５８が選択される。そして、オペレータは受け取った書面内容に従って、選択された余白部６０内に所望のメッセージやコメント等の文字を入力部３６を用いて入力していく。この実施形態では、図５に示す書面８０の内容に従って、画面５６に表示される左上の画像５８の余白部６０には「ハイチーズ（＊＾ｏ＾＊）」、右上の画像５８の余白部６０には「○○○○○○」、左下の画像５８の余白部６０には「△△△△△△」、右下の画像５８の余白部６０には「××××××」というように文字が入力されていく。画面５６に表示される画像５８は、表示切替ボタン７０によって切り替えることができ、今回のオーダーに含まれる各画像５８について、必要に応じて文字が付加されていく。必要な文字入力処理が終了すると、ステップＳ９に進む。
【００３８】
一方、オペレータが文字入力ボタン６４ではなく文字選択ボタン６６を押すと（ステップＳ５がＮＯ、Ｓ１１がＹＥＳ）、文字選択ありと判断され文字選択モードに入る（ステップＳ１３）。たとえば、メッセージやコメント等の文字が文字データとして格納された記録媒体を顧客から受け取り、その文字データをすでに記憶装置３４に記憶している場合に該当する。この場合、入力部３６を用いて文字選択ボタン６６を押すと画面５６上の各余白部６０が文字入力可能状態になるとともに、図６に示すように、今回処理しているオーダーに関する全てのメッセージやコメント等の文字（今回のオーダーのオーダー情報が与えられた文字データに対応する文字）のリスト８２が画面５６に表示され、入力部３６を用いてその中から所望の文字をコピー（選択）し所望の余白部６０上に貼り付けていく。このように入力部３６を用いて選択された文字を選択された画像５８に貼り付ける。この実施形態では、図６に示す画面５６に表示されたリスト８２から文字を選択し、画面５６に表示される左上の画像５８の余白部６０には「ハイチーズ（＊＾ｏ＾＊）」、右上の画像５８の余白部６０には「○○○○○○」、左下の画像５８の余白部６０には「△△△△△△」、右下の画像５８の余白部６０には「××××××」というように文字を貼り付けていく。このようにして今回のオーダーに含まれる各画像５８について、必要に応じて文字が付加されていく。必要な文字入力処理が終了すると、ステップＳ９に進む。
【００３９】
ステップＳ９において、余白部ボタン６８を押したときには、余白部６０のサイズが設定されると判断され、余白部６０のサイズが設定される（ステップＳ１５）。たとえばこの場合、入力部３６を用いて余白部ボタン６８を押した後所望のサイズをキー入力することによって余白部６０のサイズが設定され、余白部６０に対応する余白部データが生成される。その後、ＯＫボタン７２を押すことによって入力・設定内容が確定され、文字を付加すべき画像５８毎に、付加すべき文字数および余白部６０のサイズに基づいて文字サイズが決定され（ステップＳ１７）、ステップＳ１９に進む。
【００４０】
一方、ステップＳ９において、文字サイズボタン６２を押したときには、文字サイズが設定されると判断され、文字サイズが設定される（ステップＳ２１）。たとえばこの場合、入力部３６を用いて文字サイズボタン６２を押した後所望の文字サイズをキー入力することによって文字サイズが設定される。その後、ＯＫボタン７２を押すことによって入力・設定内容が確定され、文字を付加すべき画像５８毎に、付加すべき文字数および文字サイズに基づいて余白部６０のサイズが決定される（ステップＳ２３）。文字サイズボタン６２を押すことなくＯＫボタン７２を押せば、既に設定されている文字サイズを用いて余白部６０のサイズが決定される。そして、余白部６０に対応する余白部データが生成され、ステップＳ１９に進む。
【００４１】
ステップＳ１９において、文字を付加すべき画像５８について、当該画像５８に対応する画像データ、当該画像５８に隣接して設けられる余白部６０に対応する余白部データ、および当該余白部６０上に形成される文字に対応する文字データが合成されて、合成画像データが生成され、合成画像データがＲＡＭ３０ｃに保持される。
【００４２】
なお、上述のような画像５８に文字を付加する処理は、たとえばプレジャッジ画面（プリント画像データに対する色合い等のプリント処理条件の設定および検定画面）において行われてもよい。
【００４３】
その後、スタートボタン７６を押すと、ＲＡＭ３０ｃに保持された合成画像データはデジタル露光ヘッド５０に入力され、デジタル露光ヘッド５０は、入力された合成画像データに基づく合成画像を所定のサイズにカットされた印画紙４２に露光する（ステップＳ２５）。
【００４４】
合成画像が形成された印画紙４２は、現像処理部５２で現像処理され、乾燥部５４で乾燥され、たとえば図３に示すようなプリントとして排出される（ステップＳ２７）。
【００４５】
また、文字入力ボタン６４も文字選択ボタン６６も押すことなく（ステップＳ５、Ｓ１１がともにＮＯ）、スタートボタン７６を押すと、文字が付加されていない画像５８が露光され（ステップＳ２９）、ステップＳ２７に進む。
【００４６】
写真処理装置１０によれば、たとえばオペレータが顧客から画像５８に付加したいメッセージやコメント等の文字を書面８０で受け取っている場合、プリント処理時において、テンプレートを用いることなくオペレータが書面内容に従って顧客の望む画像５８の下側の余白部６０に文字を打ち込むだけで、手間がかからず簡単に所望の文字を画像５８とともに印画紙４２のフロント部分に形成することができ、しかも当該文字を画像５８に隣接する余白部６０上に形成できる。
【００４７】
また、顧客が画像５８に付加したいメッセージやコメント等の文字が文字データとして記憶装置３４に記憶されている場合、プリント処理時において、テンプレートを用いることなくオペレータがリスト８２から所望の文字をコピーし所望の画像５８の下側の余白部６０に貼り付けるだけで、手間がかからず簡単に所望の文字を画像５８とともに印画紙４２のフロント部分に形成することができ、しかも当該文字を画像５８に隣接する余白部６０上に形成できる。
【００４８】
さらに、画面５６上で確認できるので正確に所望の文字を付加でき、プリントの付加価値を高めることができる。
【００４９】
また、余白部６０のサイズを入力することによって、形成すべき文字の数と余白部６０のサイズとに基づいて形成すべき文字の文字サイズが決定される。このように余白部６０のサイズを任意に設定でき、その余白部６０に全ての文字が入るように文字サイズが自動的に調整される。
【００５０】
さらに、付加すべき文字の文字サイズを入力することによって、付加すべき文字の数と入力された文字サイズとに基づいて余白部６０のサイズが決定される。この場合には、文字サイズを任意に設定でき、それに応じて余白部６０のサイズが自動的に調整される。
【００５１】
なお、プリント材料に合成画像を形成する手段としては、インクジェット方式であってもよい。
【００５２】
また、この発明で用いられるプリント材料は、印画紙に限定されず、布やプラスチックフィルム等であってもよい。
【図面の簡単な説明】
【００５３】
【図１】この発明の一実施形態を示すブロック図である。
【図２】表示部に表示される画面の一例を示す図解図である。
【図３】プリントの一例を示す図解図である。
【図４】図１の実施形態の動作の一例を示すフロー図である。
【図５】付加すべき文字が記載された書面の一例を図解図である。
【図６】付加すべき文字のリストが表示された画面の一例を示す図解図である。
【符号の説明】
【００５４】
１０      プリント装置
３０      コントローラ
３０ａ      ＣＰＵ
３０ｂ      ＲＯＭ
３０ｃ      ＲＡＭ
３１      データ読み取り装置
３２      表示部
３４      記憶装置
３６      入力部
４２      印画紙
５０      デジタル露光ヘッド
５６      画面
５８      画像
６０      余白部   
６２      文字サイズボタン
６４      文字入力ボタン
６６      文字選択ボタン
６８      余白部ボタン
７０      画像切り替えボタン
７２      ＯＫボタン
７６      スタートボタン
７８      プリント
８０      書面
８２      リスト
Ｐ１      スキャナ部
Ｐ２      プリント部
【図１】
2005300851.tif 000003
【図２】
2005300851.tif 000004
【図３】
2005300851.tif 000005
【図４】
2005300851.tif 000006
【図５】
2005300851.tif 000007
【図６】
2005300851.tif 000008